(57)【要約】【課題】表示部に表示されたサムネイルが、表裏一対の関係のあるものであるかどうかをユーザーが即座に理解できるようにする。【解決手段】原稿読取部による一連の読み取り動作で得られた複数の画像データそれぞれに対応する複数のサムネイル２２Ａ等を、表示部４７３の第１領域４７３１に表示すると共に、複数のサムネイル２２Ａ等それぞれに対応する、サムネイルよりも面積の小さいアイコン３２Ａ〜３２Ｈを、一列に並べて表示部４７３の第２領域４７３２に表示する表示制御部を備え、表示制御部は、両面読み取りで得られた画像データに対応するサムネイルを第１領域４７３１に表示する場合には、原稿の表裏一対のサムネイルに対応する２つのアイコン間の隙間の長さが、他のアイコン間の隙間よりも短くなるように、アイコン３２Ａ〜３２Ｈを第２領域４７３２に表示する。【選択図】図６
2019004343.tif 000002
【特許請求の範囲】
【請求項１】
原稿の表裏両面の画像を読み取り可能な原稿読取部と、
タッチパネル機能を備える表示部と、
前記原稿読取部による一連の読み取り動作で得られた複数の画像データそれぞれに対応する複数のサムネイルを、前記表示部の第１領域に表示すると共に、前記複数のサムネイルそれぞれに対応する、当該サムネイルよりも小さい面積で原稿内容を示すアイコンを、一列に並べて前記表示部における前記第１領域とは異なる第２領域に表示する表示制御部と、
前記タッチパネル機能により検知される前記表示部に対するタッチ操作に基づく指示を受け付ける操作受付部とを備え、
前記表示制御部は、前記原稿読取部による両面読み取りで得られた画像データに対応するサムネイルを前記第１領域に表示する場合には、原稿の表裏一対のサムネイルに対応する２つのアイコンを、原稿の表裏一対ではない他のサムネイルとは表示形態を異ならせて前記第２領域に表示する画像読取装置。
【請求項２】
前記表示制御部は、原稿の表裏一対のサムネイルに対応する２つのアイコン間の隙間の長さを、他のアイコン間の隙間よりも短くして、前記２つのアイコンを前記第２領域に表示する請求項１に記載の画像読取装置。
【請求項３】
前記表示制御部は、前記原稿読取部により両面読み取りが行われ、前記第１領域に原稿表面のサムネイルが表示されている場合に、前記操作受付部が当該サムネイルに対応するアイコンへのタッチ操作及び当該タッチ操作によるタッチ位置を移動させる移動操作を受け付けると、
当該サムネイルと対の関係にある原稿裏面のサムネイルを前記第１領域に表示する第１表示処理を行う請求項１又は請求項２に記載の画像読取装置。
【請求項４】
前記表示制御部は、前記第１表示処理を行う際、当該原稿表面のサムネイルがめくられて原稿裏面が表示されることを示す動画によるアニメーション表示を行う請求項３に記載の画像読取装置。
【請求項５】
前記表示制御部は、前記原稿読取部により両面読み取りが行われ、前記第１領域に原稿表面又は原稿裏面のサムネイルが表示されている場合に、前記操作受付部が当該原稿表面と対の関係にある原稿裏面に対応するアイコンへのタッチ操作及び当該タッチ位置を移動させる移動操作を受け付けると、
当該原稿裏面のサムネイルを表示せずに、前記原稿読取部に読み取られた順序が当該原稿裏面のサムネイルの次となる原稿表面のサムネイルを前記第１領域に表示する第２表示処理を行う請求項１乃至請求項４のいずれかに記載の画像読取装置。
【発明の詳細な説明】
【技術分野】
【０００１】
本発明は、画像読取装置に関し、特に、原稿画像のサムネイル表示に関する。
【背景技術】
【０００２】
下記の特許文献１，２には、機能を選択するための機能バッジが複数並んだ機能バッジ列を、ユーザー操作に応じて一部分ずつスクロールさせながら機能バッジエリアに表示することが記載されている。これにより、ユーザーは、機能バッジ列の残りの部分（すなわち、機能バッジエリアに表示されず、隠れている部分）を見ることができるようになる。
【先行技術文献】
【特許文献】
【０００３】
【特許文献１】特開２０１２−０９８９１２号公報
【特許文献２】特開２０１２−０８３８９３号公報
【発明の概要】
【発明が解決しようとする課題】
【０００４】
画像読取装置には、原稿を読み取ることで得られる画像データを外部装置へ送信したり、記録媒体に印刷したりする前に、当該画像データに対応するサムネイル（当該画像データの画像を縮小した画像）をプレビュー画像として表示部に表示するものが存在する。しかしながら、表示部に同時に表示することのできるサムネイルの数は限られている。表示部に同時に表示できるサムネイルの数を増やすには、サムネイルの大きさを小さくしなければならないが、小さくすると、サムネイルが見にくくなる。そのため、サムネイルは制限された小さなサイズで表示しなければならず、サムネイルのすべてを表示部に同時に表示することができない場合がある。そして、このような場合、上記の特許文献１，２に記載されるように、ユーザー操作に応じて、表示部に表示されているサムネイルをスクロールさせる。
【０００５】
ところで、画像読取装置による原稿の読み取りには、片面読み取りだけでなく、両面読み取りの機能が存在する。例えば、両面読み取りで、５枚の原稿が読み取られた場合、１０ページ分の原稿画像が読み取られることになる。そして、１ページ目、２ページ目の原稿画像はそれぞれ、１枚目の原稿の表面、裏面の画像に当たる。
【０００６】
しかしながら、原稿の読み取りによって得られた画像データに表裏の区別はないので、両面読み取りによって得られた画像データに対応するサムネイルであっても、当該サムネイルが表裏一対の関係のあるものであるのかどうかをユーザーが即座に理解することは難しい。また、上記の特許文献１，２にも、原稿の表裏を区別する記載はない。
【０００７】
本発明は、上記の事情に鑑みなされたものであり、表示部に表示されたサムネイルが、表裏一対の関係のあるものであるかどうかをユーザーが即座に理解可能にすることを目的とする。
【課題を解決するための手段】
【０００８】
本発明の一局面に係る画像読取装置は、原稿の表裏両面の画像を読み取り可能な原稿読取部と、タッチパネル機能を備える表示部と、前記原稿読取部による一連の読み取り動作で得られた複数の画像データそれぞれに対応する複数のサムネイルを、前記表示部の第１領域に表示すると共に、前記複数のサムネイルそれぞれに対応する、当該サムネイルよりも小さい面積で原稿内容を示すアイコンを、一列に並べて前記表示部の第２領域に表示する表示制御部と、前記タッチパネル機能により検知される前記表示部に対するタッチ操作に基づく指示を受け付ける操作受付部とを備え、前記表示制御部は、前記原稿読取部による両面読み取りで得られた画像データに対応するサムネイルを前記第１領域に表示する場合には、原稿の表裏一対のサムネイルに対応する２つのアイコンを、原稿の表裏一対ではない他のサムネイルとは表示形態を異ならせて前記第２領域に表示する。
【発明の効果】
【０００９】
本発明によれば、原稿の表裏一対のサムネイルに対応する２つのアイコンが、原稿の表裏一対ではない他のサムネイルとは表示形態を異ならせて、表示部の第２領域に表示されるため、ユーザーに対して、２つのアイコンに表裏の関係があることを視覚的に理解させやすくなる。
【図面の簡単な説明】
【００１０】
【図１】本発明の第１実施形態に係る画像読取装置を備えてなる画像形成装置の主要内部構成を概略的に示した機能ブロック図である。
【図２】サムネイル列の一例を示した図である。
【図３】表示部に表示される表示画面の一例を示した図である。
【図４】表示部に表示される表示画面の一例を示した図である。
【図５】サムネイル列の一例を示した図である。
【図６】表示部に表示される表示画面の一例を示した図である。
【図７】表示部に表示される表示画面の一例を示した図である。
【図８】（Ａ）〜（Ｄ）は、表示部に表示される表示画面の一例を示した図である。
【図９】（Ａ）、（Ｂ）は、表示部に表示される表示画面の一例を示した図である。
【発明を実施するための形態】
【００１１】
以下、本発明の一実施形態に係る画像読取装置について図面を参照して説明する。図１は、本発明の第１実施形態に係る画像形成装置を備えてなる画像形成装置の主要内部構成を概略的に示した機能ブロック図である。
【００１２】
画像形成装置１は、例えば、コピー機能、プリンター機能、スキャナー機能、及びファクシミリ機能のような複数の機能を兼ね備える複合機である。画像形成装置１は、制御ユニット１０、原稿給送部６、原稿読取部５、画像形成部１２、定着部１３、給紙部１４、及び操作部４７を備える。
【００１３】
画像形成装置１で原稿読取動作が行われる場合について説明する。原稿給送部６により搬送されてきた原稿、又はプラテンガラスに載置された原稿の画像を、原稿読取部５が光学的に読み取り、そして画像データを生成する。原稿読取部５により生成された画像データは、図略の画像メモリー等に保存される。また、原稿読取部５は、原稿給送部６から搬送されてくる原稿の表裏両面の画像を読み取り可能に構成されている。
【００１４】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙に画像を形成する。
【００１５】
定着部１３は、熱圧着によりトナー像を記録紙に定着させるものであり、定着処理が施された記録紙は排出トレイに排出される。給紙部１４は、給紙カセットを備える。
【００１６】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３は、表示画面への物体（例えば、ユーザーの指）の接触を検知するタッチパネル機能を備えており、ユーザーの指が表示画面に接触されると、その接触位置を示す信号を制御ユニット１０へ供給し、操作者は画面表示されるアイコンやボタン、キーに指を近付けたり、触れたりすることで画像形成装置１を操作することができる。
【００１７】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、表示制御部１０２とを備えている。
【００１８】
制御ユニット１０は、ＨＤＤ（図略）に記憶されている制御プログラム等に従った動作により、制御部１００、操作受付部１０１、及び表示制御部１０２として機能するものである。但し、制御部１００等は、制御ユニット１０による制御プログラム等に従った動作によらず、それぞれハードウェア回路により構成することも可能である。以下、特に触れない限り、各実施形態について同様である。
【００１９】
制御部１００は、画像形成装置１の全体的な動作制御を司る。制御部１００は、原稿給送部６、原稿読取部５、画像形成部１２、定着部１３、給紙部１４、及び操作部４７と接続され、これら各部の駆動制御等を行う。
【００２０】
操作受付部１０１は、ユーザーにより操作部４７に入力されたユーザー操作を受け付ける。操作部４７としての表示部４７３は、上記したように、タッチパネル機能を備え、このタッチパネル機能により、ユーザーによる表示部４７３の表示画面への接触が、ユーザー操作として入力され、操作受付部１０１は、当該ユーザー操作を受け付ける。
【００２１】
例えば、表示部４７３の表示画面を指で押す行為（タップ操作）や、表示画面に指を接触させるタッチ操作及びそのタッチ位置を移動させる移動操作（フリック操作、スワイプ操作、ドラッグ操作）等のジェスチャー操作がユーザー操作として上記タッチパネル機能により入力され、操作受付部１０１は、当該ユーザー操作を受け付ける。
【００２２】
表示制御部１０２は、表示部４７３の表示制御を行う。例えば、表示制御部１０２は、原稿読取部５による一連の読み取りで得られた複数の画像データそれぞれに対応する複数のサムネイルを表示部４７３に表示する。
【００２３】
＜原稿片面読み取りの場合でのサムネイル表示について説明する＞
【００２４】
制御部１００は、操作受付部１０１が原稿の片面読み取りを指示するユーザー操作を受け付けたと判断した場合、原稿読取部５の動作を制御することによって、原稿読取部５に片面読み取りで原稿を読み取らせる。
【００２５】
表示制御部１０２は、原稿読取部５による一連の片面読み取りが完了すると、原稿読取部５による読み取りで得られた複数の画像データそれぞれに対応する複数のサムネイルの画像データを作成して、原稿読取部５が読み取った順序に従って、当該複数のサムネイルに順番（例えば、１，２，３，…）を付し、当該複数のサムネイルから構成されるサムネイル列を、当該順番に基づいて若い番号から順に、表示部４７３の第１領域４７３１（図３を参照）に表示する。
【００２６】
更に、表示制御部１０２は、複数のサムネイルそれぞれに対応する、当該サムネイルよりも面積（表示サイズ）の小さいアイコンを、アイコン間の隙間を等間隔で、一列に並べて表示部４７３の第２領域４７３２（図３を参照）に表示する。
【００２７】
図２は、サムネイル列の一例を示した図である。サムネイル列２１は、原稿読取部５による原稿８枚の片面読み取りで得られた８つの画像データそれぞれに対応する８つのサムネイル２１Ａ〜２１Ｈから構成されている。
【００２８】
図３は、表示部４７３に表示される表示画面の一例を示した図である。表示制御部１０２により、表示部４７３の第１領域４７３１には、サムネイル列２１の一部分であり、順番の若いサムネイル２１Ａ，２１Ｂが表示されている。第１領域４７３１の中央部にはサムネイル２１Ａが表示され、第１領域４７３１の右側にはサムネイル２１Ｂの左半分が表示されている。また、表示部４７３における、第１表示領域４７３１とは異なる第２領域４７３２には、サムネイル２１Ａ〜２１Ｈそれぞれに対応するアイコン３１Ａ〜３１Ｈが、アイコン間の隙間が等間隔で一列に並べて表示されている。
【００２９】
＜サムネイルの表示切り替えについて説明する＞
【００３０】
表示制御部１０２は、操作受付部１０１が第２領域４７３２に表示されているアイコン３１Ａ〜３１Ｈのいずれかへのタップ操作を受け付けると、タップ操作されたアイコンに対応するサムネイルを第１領域４７３１の中央部に表示すると共に、当該アイコンを第２領域４７３２の中央部に表示する。
【００３１】
例えば、第２領域４７３２に表示されているアイコン３１Ｄがタップ操作されると、図４に示すように、アイコン３１Ｄに対応するサムネイル２１Ｄが、第１領域４７３１の中央部にスライドインし、第１領域４７３１の中央部にサムネイル２１Ｄが表示され、第１領域４７３１の右側にサムネイル２１Ｅの左半分が表示され、第１領域４７３１の左側にサムネイル２１Ｃの右半分が表示され、第２領域４７３２の中央部に、サムネイル２１Ｄに対応するアイコン３１Ｄが表示される。
【００３２】
また、表示制御部１０２は、操作受付部１０１がユーザーからの第１領域４７３１の表示をスクロールさせる指示を、操作部４７としての表示部４７３のタッチパネル機能を介して受け付けると、当該指示に応じて第１領域４７３１の表示をスクロールさせると共に、当該スクロールに合わせて、第２領域４７３２の表示をスクロールさせる。
【００３３】
例えば、表示制御部１０２は、操作受付部１０１が第２領域４７３２に表示されているアイコン３１Ａ〜３１Ｈのいずれかへのタッチ操作及び当該タッチ位置を移動させる移動操作（例えば、フリック操作又はドラッグ操作）を受け付けると、第１領域４７３１及び第２領域４７３２の表示をスクロールさせる。
【００３４】
また、表示制御部１０２は、第１領域４７３１及び第２領域４７３２の表示をスクロールさせている途中で、操作受付部１０１が第２領域４７３２に表示されているアイコン３１Ａ〜３１Ｈのいずれかに対するタッチ操作を受け付けると、タッチ操作されたアイコンに対応するサムネイルが第１領域４７３１の中央部に表示された時点でスクロールを終了する。
【００３５】
例えば、第１領域４７３１及び第２領域４７３２の表示がスクロールされている途中で、アイコン３１Ｅがタッチ操作されると、アイコン３１Ｅに対応するサムネイル２１Ｅが第１領域４７３１の中央部に表示された時点でスクロールが終了する。
【００３６】
＜原稿両面読み取りの場合でのサムネイル表示について説明する＞
【００３７】
制御部１００は、操作受付部１０１が原稿の両面読み取りを指示するユーザー操作を受け付けたと判断した場合、原稿読取部５の動作を制御することによって、原稿読取部５に両面読み取りで原稿を読み取らせる。
【００３８】
表示制御部１０２は、原稿読取部５による一連の両面読み取りが完了すると、片面読み取りの場合と同様に、原稿読取部５による読み取りで得られた複数の画像データそれぞれに対応する複数のサムネイルの画像データを作成して、原稿読取部５が読み取った順序に従って、当該複数のサムネイルに順番（例えば、１，２，３，…）を付する。このとき、原稿表面のサムネイルは順番が奇数となり、原稿裏面のサムネイルは順番が偶数となる。図５は、サムネイル列の一例を示した図である。サムネイル列２２は、原稿読取部５による原稿４枚の両面読み取りで得られた８つの画像データそれぞれに対応する８つのサムネイル２２Ａ〜２２Ｈから構成されている。
【００３９】
表示制御部１０２は、当該複数のサムネイルから構成されるサムネイル列を、当該順番に基づいて、順番が奇数のサムネイル（すなわち、原稿表面のサムネイル）だけを若い番号から順に、表示部４７３の第１領域４７３１（図６を参照）に表示する。
【００４０】
更に、表示制御部１０２は、順番が奇数及び偶数の両方の全ての複数のサムネイルそれぞれに対応する、当該サムネイルよりも面積の小さいアイコンを、原稿の表裏一対のサムネイルに対応する２つのアイコン間の隙間の長さが、他のアイコン間の隙間よりも短くなるようにして、一列に並べて表示部４７３の第２領域４７３２に表示する（図６参照）。すなわち、表示制御部１０２は、原稿の表裏一対のサムネイルに対応する２つのアイコンを、原稿の表裏一対ではない他のサムネイルとは表示形態を異ならせて第２領域４７３２に表示する。
【００４１】
図６は、表示部４７３に表示される表示画面の一例を示した図である。表示部４７３の第１領域４７３１には、表示制御部１０２により、サムネイル列２２の一部分であり、順番が奇数で若い順番のサムネイル２２Ａ，２２Ｃが表示されている。表示制御部１０２により、第１領域４７３１の中央部にはサムネイル２２Ａが表示され、第１領域４７３１の右側にはサムネイル２２Ｃの左半分が表示されている。また、表示制御部１０２により、表示部４７３の第２領域４７３２には、サムネイル２２Ａ〜２２Ｈそれぞれに対応するアイコン３２Ａ〜２１Ｈが、原稿の表裏一対のサムネイルに対応する２つのアイコン間の隙間の長さが他のアイコン間の隙間よりも短くなるように、一列に並べて表示される。
【００４２】
＜サムネイルの表示切り替えについて説明する＞
【００４３】
表示制御部１０２は、操作受付部１０１が第２領域４７３２に表示されているアイコン３２Ａ〜３２Ｈのいずれかへのタップ操作を受け付けると、タップ操作されたアイコンに対応するサムネイルを第１領域４７３１の中央部に表示すると共に、当該アイコンを第２領域４７３２の中央部に表示する。
【００４４】
例えば、第２領域４７３２に表示されているアイコン３２Ｅがタップ操作されると、図７に示すように、表示制御部１０２により、アイコン３２Ｅに対応するサムネイル２２Ｅが、第１領域４７３１の中央部にスライドインし、第１領域４７３１の中央部にサムネイル２２Ｅが表示され、第１領域４７３１の右側にサムネイル２２Ｇの左半分が表示され、第１領域４７３１の左側にサムネイル２２Ｃの右半分が表示され、第２領域４７３２の中央部に、サムネイル２２Ｅに対応するアイコン３２Ｅが表示される。
【００４５】
また、表示制御部１０２は、原稿読取部５により両面読み取りが行われ、第１領域４７３１に原稿表面のサムネイルが表示されている場合（例えば、図６を参照）に、操作受付部１０１が当該サムネイルに対応するアイコンへのタッチ操作及び当該タッチ位置を移動させる移動操作（例えば、ドラッグ操作）を受け付けると、当該サムネイルと対の関係にある原稿裏面のサムネイルを第１領域４７３１に表示する第１表示処理を行う。
【００４６】
例えば、図６に示したように、第１領域４７３１の中央部にサムネイル２２Ａが表示されている状態で、アイコン３２Ａに対してドラッグ操作が行われると、第１領域４７３１の中央部に表示されているサムネイルがサムネイル２２Ａからサムネイル２２Ｂに切り替わる。
【００４７】
また、表示制御部１０２は、上記第１表示処理を行う際、サムネイルを射影変換処理し、サムネイルの表示切り替えが立体的にみえるような処理を施し、図８（Ａ）〜（Ｄ）に示すように、原稿表面のサムネイル２２Ａがめくられて裏面が見えるような表示を行うアニメーション表示を行うようにしてもよい。これにより、現実世界で慣れ親しんだ、原稿をめくって裏返して裏面を視認することに近い視覚効果をユーザーに与えることができる。
【００４８】
また、表示制御部１０２は、原稿読取部５により両面読み取りが行われ、第１領域４７３１に原稿表面のサムネイルが表示されている場合（例えば、図６を参照）に、操作受付部１０１が当該サムネイルと対の関係にある原稿裏面のサムネイルに対応するアイコンへのタッチ操作及び当該タッチ位置を移動させる移動操作（例えば、ドラッグ操作）を受け付けると、当該原稿裏面のサムネイルを表示せずに、原稿読取部５に読み取られた順序が当該原稿裏面のサムネイルの次となる原稿表面のサムネイルを第１領域４７３１に表示する第２表示処理を行い、その後、続けて、表示制御部１０２は、原稿裏面のサムネイルを表示せずに、原稿表面のサムネイルのみを順次表示する、第１領域４７３１のスクロール表示を行う。
【００４９】
例えば、図６に示したように、第１領域４７３１の中央部に原稿表面のサムネイル２２Ａが表示されている場合に、原稿表面のサムネイル２２Ａと対の関係にある原稿裏面のサムネイル２２Ｂに対応するアイコン３２Ｂに対してドラッグ操作が行われると、表示制御部１０２は、原稿裏面のサムネイル２２Ｂを表示せずに、当該サムネイル２２Ｂの次の順番の原稿表面のサムネイル２２Ｃが、第１領域４７３１の中央部に表示される。そして、続けて、第１領域４７３１のスクロール表示が行われ、原稿表面のサムネイル２２Ｅ，２２Ｇが第１領域４７３１に表示される。
【００５０】
なお、表示制御部１０２は、原稿読取部５により両面読み取りが行われ、第１領域４７３１に原稿裏面のサムネイルが表示されている場合（例えば、図８（Ｄ）を参照）に、操作受付部１０１が当該サムネイルに対応するアイコンへのタッチ操作及び当該タッチ位置を移動させる移動操作（例えば、ドラッグ操作）を受け付けた場合も、表示制御部１０２は、原稿裏面のサムネイル２２Ｂを表示せずに、当該サムネイル２２Ｂの次の順番の原稿表面のサムネイル２２Ｃが、第１領域４７３１の中央部に表示される。そして、続けて、第１領域４７３１のスクロール表示が行われ、原稿表面のサムネイル２２Ｅ，２２Ｇが第１領域４７３１に表示される。
【００５１】
例えば、図８（Ｄ）に示したように、第１領域４７３１の中央部に原稿裏面のサムネイル２２Ｂが表示されている場合に、原稿裏面のサムネイル２２Ｂに対応するアイコン３２Ｂに対してドラッグ操作が行われると、当該サムネイル２２Ｂの次の順番の原稿表面のサムネイル２２Ｃが、第１領域４７３１の中央部に表示される。そして、続けて、第１領域４７３１のスクロール表示が行われ、原稿表面のサムネイル２２Ｅ，２２Ｇが第１領域４７３１に表示される。
【００５２】
＜原稿両面読み取りが途中で中止された場合について説明する＞
【００５３】
原稿読取部５による原稿の両面読み取りの途中で、操作受付部１０１が原稿読み取りの動作中止を指示するユーザー操作を受け付けた場合、制御部１００は、原稿読取部５に原稿読み取りの動作を終了させる。
【００５４】
原稿読取部５による一連の両面読み取り動作で得られる画像データの個数は、正常に終了すれば、偶数になるはずだが、上記したように、原稿読取が中断する等の特別な事情によって奇数になることがある。奇数になると、対になる画像データを有しない画像データが発生する。
【００５５】
そこで、表示制御部１０２は、原稿読取部５による両面読み取りで得られた画像データの個数が奇数であり、対になる画像データを有しない画像データが存在する場合には、当該画像データに対応するサムネイルと対の関係にあるサムネイルを追加して第１領域４７３１に表示すると共に、当該サムネイルに対応するアイコンを追加して第２領域４７３２に表示する。
【００５６】
更に、表示制御部１０２は、追加したサムネイル及びアイコンを、当該サムネイル及び当該アイコンに対応する画像データが存在しないこと（すなわち、印刷等の出力が行われないこと）を視覚的に分かるように表示する。
【００５７】
例えば、原稿の両面読み取りの途中で、読み取りが中止され、４枚目の原稿については、表面までしか読み取られず、原稿読取部５による読み取りで得られた画像データが７つである場合、表示制御部１０２は、当該７つの画像データそれぞれに対応する７つのサムネイル２２Ａ〜２２Ｇ及び当該サムネイル２２Ａ〜２２Ｇに対応するアイコン３２Ａ〜３２Ｇ以外に、サムネイル２２Ｊ及びアイコン３２Ｊを追加し、図９（Ａ）に示すように、アイコン３２Ｊについては、当該アイコン３２Ｊに対応する画像データが存在しないことが視覚的に分かるようにグレイ色で表示する。また、表示制御部１０２は、図９（Ｂ）に示すように、サムネイル２２Ｊについてもグレイ色で表示する。
【００５８】
上記実施形態によれば、原稿の表裏一対のサムネイルに対応する２つのアイコンが、一対の関係と視覚的に分かるように、表示部４７３の第２領域４７３２に表示される。従って、２つのアイコンに表裏の関係があることが視覚的に分かるので、表示部４７３の第１領域４７３１に表示されたサムネイルが、表裏一対の関係のあるものであるかどうかをユーザーは即座に理解できるようになる。
【００５９】
また、原稿裏面のサムネイルに対応するアイコンに対してドラッグ操作をすることで、原稿表面のサムネイルのみを表示するスクロール表示が行われるので、原稿裏面のサムネイルを見ずに、ユーザーは原稿のプレビューを確認することができる。これにより、従来よりも素早くプレビューを確認することが可能となる。
【００６０】
また、上記スクロール表示で飛ばされる原稿裏面のサムネイルについては、対の関係にある原稿表面のサムネイルに対応するアイコンに対してドラッグ操作することで、表示されるので、ユーザーは原稿表面のサムネイルと比較しながら、原稿裏面のサムネイルを確認することが可能となる。
【００６１】
また、本発明は上記実施の形態の構成に限られず種々の変形が可能である。また、上記実施形態では、本発明に係る画像読取装置の一実施形態として複合機を用いて説明しているが、これは一例に過ぎず、例えば、コピー機能、ファクシミリ機能、スキャナー機能等を有した他の画像読取装置でもよい。
【００６２】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００６３】
１        画像形成装置
５        原稿読取部
１０      制御ユニット
１００    制御部
１０１    操作受付部
１０２    表示制御部
４７３    表示部
４７３１  第１領域
４７３２  第２領域
【図１】
2019004343.tif 000003
【図２】
2019004343.tif 000004
【図３】
2019004343.tif 000005
【図４】
2019004343.tif 000006
【図５】
2019004343.tif 000007
【図６】
2019004343.tif 000008
【図７】
2019004343.tif 000009
【図８】
2019004343.tif 000010
【図９】
2019004343.tif 000011